(57)【特許請求の範囲】
【請求項１】
アース接触部、２個の取付受け部および凹部を設けた被取付体の前記取付受け部に取付ける端子台であって、前記被取付体に取付ける取付面を底面に有し前記取付受け部に取付ける一対の取付部を両側に有するハウジングと、このハウジング内に収納されて電線を接続する複数の端子とを備え、
前記複数の端子は速結端子であり、前記複数の端子の少なくとも１つに接続されて前記アース接触部に接触するアース端子を前記取付面の前記一対の取付部間を結ぶ線上に交差するように前記ハウジングから突出し、
前記ハウジングは、前記速結端子に対応する電線挿入穴を有するとともに、前記速結端子に接続されて別に設けられたコネクタに圧接接続されるように一部が前記ハウジングの前端部に露出した刃形端子を有し、前記刃形端子の上端に当接する端子押さえ片を有し、前記取付部および前記アース端子が前記刃形端子側に片寄って配置され、前記取付部よりも前記刃形端子寄りに前記被取付体の前記凹部に嵌合する凸部を設けた端子台。
【請求項２】
前記アース端子は前記取付部間の前記取付部の一方にずれた位置に設けられている請求項１記載の端子台。
【発明の詳細な説明】
【技術分野】
【０００１】
この発明は、例えば誘導灯照明器具または非常灯照明器具に内蔵する電子回路に電源を接続するための電源端子台などの端子台に関するものである。
【背景技術】
【０００２】
従来のアース端子を有する端子台として、取付面に突出したアース端子とアース端子の両側に位置決め突起を設け、かつ、アース端子の近傍にねじ止め用取付穴を設けたものがあった（例えば特許文献１参照）。
【０００３】
また別の端子台として、２点の取付部とそれらを結ぶ線上から外れた位置にアース端子を突出したものもあった。
【特許文献１】特開平５−３０７９７９号公報
【発明の開示】
【発明が解決しようとする課題】
【０００４】
これらのアース端子は取付板の板厚や加工公差に配慮したアース用穴などのアース端子接触部に対応しなければならないが、従来例のうち前者では位置決め突起があるものの１点止めであり、後者では取付部とアース端子の距離のため、いずれもアース端子に十分な圧力を掛けられない。このため、アース端子自体にばね性をもたせるとともにアース用穴の公差に対応するため先端を尖らせ、端子台からの突出長さが長い端子構造をとることが多かった。
【０００５】
しかしながら、誘導灯照明器具においてはデザイン面から器具を薄く作る必要があるため、アース端子の出代を短くすることが必要であった。
【０００６】
したがって、この発明の目的は、アース端子を長くすることなく確実にアース端子接触部に接触することができる端子台を提供することである。
【課題を解決するための手段】
【０００７】
この発明の端子台は、アース接触部、２個の取付受け部および凹部を設けた被取付体の前記取付受け部に取付ける端子台であって、前記被取付体に取付ける取付面を底面に有し前記取付受け部に取付ける一対の取付部を両側に有するハウジングと、このハウジング内に収納されて電線を接続する複数の端子とを備え、
前記複数の端子は速結端子であり、前記複数の端子の少なくとも１つに接続されて前記アース接触部に接触するアース端子を前記取付面の前記一対の取付部間を結ぶ線上に交差するように前記ハウジングから突出し、
前記ハウジングは、前記速結端子に対応する電線挿入穴を有するとともに、前記速結端子に接続されて別に設けられたコネクタに圧接接続されるように一部が前記ハウジングの前端部に露出した刃形端子を有し、前記刃形端子の上端に当接する端子押さえ片を有し、前記取付部および前記アース端子が前記刃形端子側に片寄って配置され、前記取付部よりも前記刃形端子寄りに前記被取付体の前記凹部に嵌合する凸部を設けている。
【０００８】
上記構成において、前記アース端子は前記取付部間の前記取付部の一方にずれた位置に設けられている。
【発明の効果】
【００１０】
この発明の端子台によれば、取付部を結ぶ取付面の線上にアース端子を配置したので、アース端子に十分に圧力を加えられるとともに、端子台または器具のねじれによる浮き上がりが少なくなり確実に導通することができる。取付部をさらに刃形端子側に寄せているため、電線を介して大きな外力がハウジングに加わっても、刃形端子の接続部にダメージを与えることがなく、かつアース端子の接続も安定させることができる。
【００１１】
アース端子を一方の取付部側に寄せているので、端子台または器具のねじれによる浮き上がりをより少なくできる。
【発明を実施するための最良の形態】
【００１３】
この発明の一実施の形態の電源端子台を図１から図４により説明する。すなわち、この電源端子台はアース端子３８を設けたハウジング１に速結端子２などの端子を収納している。
【００１４】
ハウジング１は樹脂製のボディ３と樹脂製のカバー４からなる。ボディ３は底浅の箱形であり、周囲は前端壁５、後端壁６および両側壁７、８からなっており、底部の外面が取付面３ａとなっている。後端壁６および両側壁７、８は同じ高さであるが、前端壁５はそれらよりも高くかつ他の壁と同じ高さに外方に張り出す段部９を形成し、段部９の先端からさらに支持壁１０を立設している。ボディ３内には前端壁５と後端壁６との間をつなぐように複数条例えば４条の隔壁１１を設けて隔壁１１および側壁７、８との間に形成される溝のうち中央の溝を除く４条を端子収納溝１２としている。これらの端子収納溝１２内に位置するように支持壁１０に端子支持用のスリット１３を形成している。また一側壁８の前端壁５寄りに前端壁５の幅を狭くする凹部１４を形成している。さらに両側壁７、８にそれぞれカバー取付け爪１５を突設している。
【００１５】
カバー４はボディ３に冠合する相似形状をなしており、前端壁５の前面には被さらないで前方に張り出す端子押さえ片１６を設けている。カバー４の両側壁にカバー取付け爪１５を嵌合させる連結孔４６を形成するとともに取付部１７をカバー４の開口端よりも上方に位置して外方に張り出している。取付部１７を結ぶ線Ａは取付面３ａの中央を通る中央線Ｂよりも前端壁５寄りに配置している。１８はねじ挿通穴である。１９は凸部であり、ねじ挿通穴１８の径とこれに挿通するねじの径との差による電源端子台の取付部１７での位置ずれを防止する位置決めに用いる。これは電線を速結端子２に差し込んだり抜き出す場合に加わる外力によって電源端子台が動くのを確実に防止し、後述の刃形端子３６の差し込み時のおよび差し込み状態でのねじれ等の変形を防止することを目的としている。
【００１６】
カバー４の上面は前端から後端にかけて波形に形成している。波形の山は２つであり、各山の傾斜面２０〜２３のうち端子押さえ片１６に向いた傾斜面２０、２２にそれぞれ電線挿入穴２４ａ〜２４ｄ、２５ａ〜２５ｄを形成している。これらの電線挿入穴２４ａ〜２４ｄ、２５ａ〜２５ｄはボディ３の４個の端子収納溝１２に対向するように形成されている。この場合、電線挿入穴２４ｃ、２４ｄの間および電線挿入穴２５ｃ、２５ｄに識別用突起２６を設けている。識別用突起２６は端に位置する電線挿入穴２４ｄ、２５ｄがアース端子用であることを示し、電源端子用の電線挿入穴２４ａ〜２４ｃおよび２５ａ〜２５ｃとの識別を容易にしている。カバー４の他の傾斜面２１、２３はボディ３の相隣接する端子収納溝１２にまたがるように電線解除部２８が一体形成されている。各電線解除部２８は相隣接する端子収納溝１２に収納される速結端子２の電線を同時に解除するものである。
【００１７】
速結端子２は、各端子収納溝１２に収納される細長の導電板３０により形成されている。ボディ３の両側の端子収納溝１２に収納される導電板３０はそれぞれ互いに反対側で側壁７、８に近い側部にカバー４の各波形の山に対応して２個の端子部３１を立ち上げている。端子部３１には鎖錠片３２、電線接続部３３および電線接触部３４が形成されている。鎖錠片３２と電線接続部３３の間の電線挿入部分は電線挿入穴２４ａ、２４ｄ、２５ａ、２５ｄに対向するように傾斜しており、カバー４の電線解除部２８のある傾斜面２１、２３の内側に位置している。したがって、電線挿入穴２４ａ、２４ｄ、２５ａ、２５ｄより電線を挿入すると電線の先端が鎖錠片３２と電線接続部３３との間に挿入され、電線接触部３４に接触した状態で結線状態となる。またその状態で電線解除部２８を押すと鎖錠片３２が押圧されて鎖錠片３２の電線への食い込みが解除され、電線を引き抜くことができる。
【００１８】
また、導電板３０のボディ３の前端壁５側に収納される一端部の側部より刃形端子３６が立ち上がるように折り曲げられている。刃形端子３６は導電板３０の前端より逆Ｌ字形に前方に延出している。導電板３０を端子収納溝１２に収納した状態で刃形端子３６は支持壁１０のスリット１３に挿通され、これに位置決めおよび変形防止されている。また刃形端子３６の先端部には縦長のリブ３７を形成し、リブ３７の下端は刃形端子３６の下端すなわち差し込み端よりも若干上側すなわち後端寄りに位置し、上端は刃形端子３６の上端（後端）まで延びている。
【００１９】
速結端子２と刃形端子３６は導電板３０の同じ側部より立ち上げており、４つ並んだ導電板３０のうちの１つおきの導電板３０は、導電板３０の同じ側部より端子部３１および刃形端子３６を立ち上げ、隣合う導電板３０の端子部３１および刃形端子３６は導電板３０の反対側の側部より立ち上げて対称な形状となっている。速結端子２のうち凹部１４に隣接する端子収納溝１２に収納されたものはアース用であり、他は電源用または送り用である。
【００２０】
さらに速結端子２のうちのアース用端子は導電板３０にアース端子３８を折曲し、ボディ７の底部に形成したスリット３９より取付面３ａの外部に突出し、ボディ７を金属製の取付板に取付ける際に、取付板に形成したアース端子接触部となるアース用穴６０に挿入され圧接接続される。このアース端子３８は取付面３ａの取付部１７を結ぶ線Ａ上の一方の取付部１７に近い位置に配置されている。このため、電源端子台や後述の取付板５５のねじれによる浮き上がりが少なくなりアース端子３８をアース用穴６０に確実に圧接することができる。なおアース用穴６０にはアース端子３８が接触しない縁部にスリット７６を形成し穴の縁部に弾性を付与している。
【００２１】
この電源端子台の組立は、ボディ３内に速結端子２を収納し刃形端子３６をスリット１３に通し、アース端子３８をスリット３９に通してカバー４をボディ３に閉じることにより行われる。このときカバー４の端子押さえ片１６の下面は刃形端子３６の上端に当接している。ここで、端子押さえ片１６の下面に突起４７を設け、突起４７の側面で刃形端子３６の上端側面を支持すると刃形端子３６の変形をより確実に防止することができる。
【００２２】
電源端子台は被取付体となる例えば器体の金属製の取付板５５に設けたプリント基板のコネクタ４０に接続するように取付板５５に取付けられる。位置決め部５０はボディ３の前後端部寄りの略中央にそれぞれ形成している。位置決め部５０は穴により形成し、取付板５５の位置決め受け部５６は穴に嵌合するピン（図示せず）により形成している。コネクタ４０の受け部（受け刃）４１に刃形端子３６を差し込み前に位置決め受け部５６に位置決め部５０が嵌合開始し、電源端子台を取付板５５に位置決めする。位置決めされながら、刃形端子３６をコネクタ４０の受け部４１に差し込みボディ３の取付面３ａを取付板５５に置き、刃形端子３６の圧接接続後に取付部１７のねじ挿通孔１８を通して取付板５５の台状の取付受け部のねじ孔にねじを締めつけて固定する。このとき、カバー４の端子押さえ片１６を押すことで確実に刃形端子３６を受け部４１に差し込むことができる。凸部１９に対応してコネクタ４０または取付板５５に側壁が設けられ側壁に凸部１９を位置決めする凹部を形成している。
【００２３】
図６から図９は誘導灯照明器具を示している。６５は誘導灯照明器具の天井または壁取付け可能な器体、６６はプリント基板６６ａに実装された回路ブロック、６７は壁取付け時の取付孔、６８は電線挿通孔である。電線は径が大きくなるほど曲げ加工が行いにくくなるが、電線挿入穴を斜めに形成することにより、差し込み容易になる。７７はコネクタ４０または取付板５５に設けられ電源端子台の前端側部に位置した、凸部１９が位置決め嵌合する凹部を有する側壁である。
【図面の簡単な説明】
【００２４】
【図１】この発明の一実施の形態の電源端子台を裏面側からみた斜視図である。
【図２】電源端子台の底面図である。
【図３】電源端子台の上方から斜視図である。
【図４】分解斜視図である。
【図５】（ａ）は刃形端子の接続前の状態の部分断面側面図、（ｂ）はアース端子とアース用穴を示す斜視図である。
【図６】誘導灯照明器具の外観斜視図である。
【図７】器体の蓋を開いた状態の断面図である。
【図８】平面図である。
【図９】回路ブロックと電源端子台とを示す部分斜視図である。
【符号の説明】
【００２５】
１    ハウジング
２    速結端子
１７    取付部
２４ａ〜２４ｄ  電線挿入穴
２５ａ〜２５ｄ  電線挿入穴
３６    刃形端子
３８    アース端子
４０    コネクタ
５５    取付板
６０    アース用穴
【図１】
0004611850.tif 000002
【図２】
0004611850.tif 000003
【図３】
0004611850.tif 000004
【図４】
0004611850.tif 000005
【図５】
0004611850.tif 000006
【図６】
0004611850.tif 000007
【図７】
0004611850.tif 000008
【図８】
0004611850.tif 000009
【図９】
0004611850.tif 000010